Podtech/llm-jp-corpus-v4-ja_patent huggingface dataset:
【手続補正書】
【提出日】平成18年5月26日(2006.5.26)
【手続補正１】
【補正対象書類名】明細書
【補正対象項目名】特許請求の範囲
【補正方法】変更
【補正の内容】
【特許請求の範囲】
【請求項１】  遊技領域が設けられた遊技盤と、前記遊技盤を保持するとともに前記遊技領域を視認可能に覆う開閉自在な前面扉が軸着された枠状の保持部材と、前記保持部材が組み付けられる本体基部とを有し、前記遊技盤と前記保持部材と前記前面扉とを一体にした状態で前記本体基部から取り外すことが可能な遊技機において、
前記保持部材の下端部を受けるとともに、前記本体基部に前記保持部材を固定する第１位置と前記本体基部に対して前記保持部材の着脱を行う第２位置との間で回動自在になるように略水平な軸に軸着された保持受け部材と、
前記保持受け部材が前記第１位置に移動したときに前記保持部材を前記本体基部に固定するロック機構とを設け、
前記第２位置で前記保持部受け部材の底面を受けて前記保持受け部材を前記第２位置で保持する斜面を前記本体基部に形成したことを特徴とする遊技機。
【請求項２】  前記保持受け部材は縦断面の形状が略コの字状に形成され、
前記保持部材の下端部には前記保持受け部材内に挿入されるとともに前記保持受け部材に嵌合する嵌合部が形成されていることを特徴とする請求項１記載の遊技機。
【請求項３】  前記保持受け部材、又は本体基部のいずれか一方に、前記保持部材を第１位置に保持する変位可能な係止片を、他方に前記係止片と係合する係合部をそれぞれ設けたことを特徴とする請求項１又は２記載の遊技機。
【請求項４】  前記保持部材には、前記遊技盤に帯電する電気を所定部位へと流動させる導体部材が設けられ、前記保持部材を前記保持受け部材にて支持した際に、前記本体基部に設けられた導体部材と当接し、電気が流動可能な状態にすることを特徴とする請求項１〜３いずれか記載の遊技機。
【手続補正２】
【補正対象書類名】明細書
【補正対象項目名】０００４
【補正方法】変更
【補正の内容】
【０００４】
このようなパチンコ機において、前面扉と、遊技盤を保持する保持枠とを本体基部に対して交換できるようにすることが現在検討されている。これにより、新しい遊技機への交換の際に、前面扉も交換することが可能となり、新たな遊技機のイメージを外観から遊技者に与えることが可能となる。
【特許文献１】特開２００１−３２７７１７号公報
【手続補正３】
【補正対象書類名】明細書
【補正対象項目名】０００７
【補正方法】変更
【補正の内容】
【０００７】
【課題を解決するための手段】
上記目的を達成するために、本発明の遊技機は、遊技領域が設けられた遊技盤と、前記遊技盤を保持するとともに前記遊技領域を視認可能に覆う開閉自在な前面扉が軸着された枠状の保持部材と、前記保持部材が組み付けられる本体基部とを有し、前記遊技盤と前記保持部材と前記前面扉とを一体にした状態で前記本体基部から取り外すことが可能な遊技機において、前記保持部材の下端部を受けるとともに、前記本体基部に前記保持部材を固定する第１位置と前記本体基部に対して前記保持部材の着脱を行う第２位置との間で回動自在になるように略水平な軸に軸着された保持受け部材と、前記保持受け部材が前記第１位置に移動したときに前記保持部材を前記本体基部に固定するロック機構とを設け、前記第２位置で前記保持部受け部材の底面を受けて前記保持受け部材を前記第２位置で保持する斜面を前記本体基部に形成したものである。なお、本体基部とは、遊技媒体であるパチンコ球を遊技領域に向けて打ち出す発射装置や、入賞に応じた個数のパチンコ球を払い出す払出し装置等の装置が組み込まれる部品である。
【手続補正４】
【補正対象書類名】明細書
【補正対象項目名】０００８
【補正方法】変更
【補正の内容】
【０００８】
また、前記保持受け部材は縦断面の形状が略コの字状に形成され、前記保持部材の下端部には前記保持受け部材内に挿入されるとともに前記保持受け部材に嵌合する嵌合部が形成されていることが好ましい。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
また、前記保持部材には、前記遊技盤に帯電する電気を所定部位へと流動させる導体部材が設けられ、前記保持部材を前記保持受け部材にて支持した際に、前記本体基部に設けられた導体部材と当接し、電気が流動可能な状態にすることが好ましい。
【手続補正書】
【提出日】平成18年4月28日(2006.4.28)
【手続補正１】
【補正対象書類名】明細書
【補正対象項目名】特許請求の範囲
【補正方法】変更
【補正の内容】
【特許請求の範囲】
【請求項１】
皮膚を冷却する冷却部と、
血管拡張作用を有する波長の光を皮膚に向けて照射する光照射部と、を有してなる穿刺時疼痛軽減用の冷却装置。
【請求項２】
前記光は、波長が４００ｎｍ〜６００ｎｍの間にあるレーザー光、あるいは、４００ｎｍ〜６００ｎｍの間の波長に吸収ピークを有する単色光であることを特徴とする請求項１に記載の穿刺時疼痛軽減用の冷却装置。
【請求項３】
皮膚の温度を検知する温度検知部と、
前記冷却部の温度を制御する制御部と、をさらに有し、
前記制御部は、前記温度検知部により検知した皮膚の温度に基づいて、前記冷却部の温度を制御することを特徴とする請求項１に記載の穿刺時疼痛軽減用の冷却装置。
【手続補正書】
【提出日】平成18年4月27日(2006.4.27)
【手続補正１】
【補正対象書類名】明細書
【補正対象項目名】特許請求の範囲
【補正方法】変更
【補正の内容】
【特許請求の範囲】
【請求項１】  放射線を発生する放射線源と、
前記放射線源からの放射線を２次元面上で検出し、画像信号を出力する検出器と、
前記放射線源と検出器を被写体に対して相対的に回転させながら該被写体の放射線撮影を行なう回転手段と、
前記検出器の解像度を、前記相対的回転における回転位置に応じて第１の解像度或いは該第１の解像度よりも低い第２の解像度のいずれかとする制御手段と、
前記第１の解像度で撮像した画像データを前記第２の解像度に一致させてデータを再構成する再構成手段と、
前記第１の解像度撮像した画像データに基づく画像データを単純撮影用画像として表示する表示手段とを備えることを特徴とする放射線撮像装置。
【請求項２】  前記検出器の解像度に応じて前記相対的回転における回転を低速に切り換えるとともに、Ｘ線量を変化させることを特徴とする請求項１に記載の放射線撮像装置。
【請求項３】  前記検出器は前記第１の解像度で画像信号を出力し、
前記第２の解像度に変換して保存する保存手段を更に備えることを特徴とする請求項１に記載の放射線撮像装置。
【請求項４】  前記第１の解像度にする回転位置を指定する指定手段を更に備えることを特徴とする請求項１乃至３のいずれかに記載の放射線撮像装置。
【請求項５】  前記保存手段に保存された前記第１の解像度のデータに基づいて単純撮影画像を形成する第１構成手段を更に備えることを特徴とする請求項１乃至４のいずれかに記載の放射線撮像装置。
【請求項６】  放射線を発生する放射線源と、
前記放射線源からの放射線を２次元面上で検出し、画像信号を出力する検出器とを備えた放射線撮像装置の制御方法であって、
前記放射線源と検出器を被写体に対して相対的に回転させながら該被写体の放射線撮影を行なう回転工程と、
前記検出器の解像度を、前記相対的回転における回転位置に応じて第１の解像度或いは該第１の解像度よりも低い第２の解像度のいずれかとする制御工程と、
前記第１の解像度で撮像した画像データを前記第２の解像度に一致させてデータを再構成する再構成工程と、
前記第１の解像度撮像した画像データに基づく画像データを単純撮影用画像として表示する表示工程とを備えることを特徴とする放射線撮像装置の制御方法。
【手続補正２】
【補正対象書類名】明細書
【補正対象項目名】００２１
【補正方法】変更
【補正の内容】
【００２１】
【課題を解決するための手段】
上記の課題を解決するための本発明による放射線撮像装置は以下の構成を備える。すなわち、
放射線を発生する放射線源と、
前記放射線源からの放射線を２次元面上で検出し、画像信号を出力する検出器と、
前記放射線源と検出器を被写体に対して相対的に回転させながら該被写体の放射線撮影を行なう回転手段と、
前記検出器の解像度を、前記相対的回転における回転位置に応じて第１の解像度或いは該第１の解像度よりも低い第２の解像度のいずれかとする制御手段と、
前記第１の解像度で撮像した画像データを前記第２の解像度に一致させてデータを再構成する再構成手段と、
前記第１の解像度撮像した画像データに基づく画像データを単純撮影用画像として表示する表示手段とを備える。
【手続補正３】
【補正対象書類名】明細書
【補正対象項目名】００２２
【補正方法】変更
【補正の内容】
【００２２】
また、上記の目的を達成するための本発明による放射線撮像装置の制御方法は、
放射線を発生する放射線源と、
前記放射線源からの放射線を２次元面上で検出し、画像信号を出力する検出器とを備えた放射線撮像装置の制御方法であって、
前記放射線源と検出器を被写体に対して相対的に回転させながら該被写体の放射線撮影を行なう回転工程と、
前記検出器の解像度を、前記相対的回転における回転位置に応じて第１の解像度或いは該第１の解像度よりも低い第２の解像度のいずれかとする制御工程と、
前記第１の解像度で撮像した画像データを前記第２の解像度に一致させてデータを再構成する再構成工程と、
前記第１の解像度撮像した画像データに基づく画像データを単純撮影用画像として表示する表示工程とを備える。
【手続補正書】
【提出日】平成18年4月19日(2006.4.19)
【手続補正１】
【補正対象書類名】明細書
【補正対象項目名】特許請求の範囲
【補正方法】変更
【補正の内容】
【特許請求の範囲】
【請求項１】
Ｘ線照射部を有する移動型Ｘ線装置において、
撮影データを送受信するための無線通信手段が接続される通信用インターフェースと、
Ｘ線照射部の照射の制御を行うＸ線制御部と、
撮影データが書き込まれ、または読み出されるデータ記憶部と、
無線通信手段の通信を制御する通信制御部とを具えることを特徴とする移動型Ｘ線装置。
【請求項２】
通信用インターフェースには、ケーブルを介して無線通信手段を接続するようにしていることを特徴とする請求項１に記載の移動型Ｘ線装置。
【請求項３】
複数の機器が互いに無線通信手段を介して送受信可能になっており、複数の機器は撮影データを送受信するための無線通信手段が接続される通信用インターフェースを具え、複数の機器のうち少なくとも一つが請求項１または請求項２に記載の移動型Ｘ線装置であることを特徴とする撮影システム。
【手続補正書】
【提出日】平成18年8月21日(2006.8.21)
【手続補正１】
【補正対象書類名】明細書
【補正対象項目名】特許請求の範囲
【補正方法】変更
【補正の内容】
【特許請求の範囲】
【請求項１】  
遊技媒体を用いて遊技する遊技機において、
遊技球が打ち込まれる遊技領域を有する遊技盤と、
遊技者による発射操作に応じて、遊技球を前記遊技盤の遊技領域に打ち込む遊技球発射手段と、
遊技領域内に設けられ、識別情報を変動表示する識別情報変動表示手段と、
遊技領域内に設けられ、遊技球が入賞可能な入賞手段と、
前記入賞手段に遊技球が入賞したことを検出する入賞検出手段と、
特別遊技状態となるか否かを決定するための第１乱数群を発生させる第１乱数発生手段と、
前記入賞検出手段での入賞検出に基づいて、前記第１乱数発生手段で発生させた第１乱数群のうち一の第１乱数を記憶する第１乱数記憶手段と、
前記第１乱数記憶手段に記憶された第１乱数が当たり値であるか否かを判定する第１判定手段と、
前記入賞検出手段での入賞検出に基づいて前記識別情報変動表示手段の変動表示を開始さえ、前記第１判定手段での判定結果に応じた変動表示結果を表示させるように前記識別変動表示手段を表示制御する表示制御手段と、
前記第１判定手段で当たり値であると判定された場合に特別遊技状態を発生させる状態発生手段と、
前記遊技機の筐体前面に遊技の進行状態を示す表示手段と、
識別情報の変動表示の実行中に始動入賞によって成立した識別情報の変動表示の未実行分を保留情報として表示する、前記表示手段とは別の保留表示手段と、
さらに、始動入賞によって成立する識別情報の変動表示とは異なり擬似的に生成された変動表示の実行を示唆する所定の擬似条件を検出する擬似条件検出手段と、
前記擬似検出手段の検出結果に基づいて擬似的な変動表示の実行を制御する擬似実行制御手段と
を備え、
前記表示手段は、識別情報の変動表示の実行中に始動入賞によって成立した識別情報の変動表示の未実行分を保留情報として表示し、
前記擬似条件検出手段での擬似条件検出の場合に当該擬似条件検出手段の検出結果に基づく擬似情報を表示する
ことを特徴とする遊技機。
【手続補正書】
【提出日】平成18年5月17日(2006.5.17)
【手続補正１】
【補正対象書類名】明細書
【補正対象項目名】特許請求の範囲
【補正方法】変更
【補正の内容】
【特許請求の範囲】
【請求項１】
便器内に発生した臭気を吸気口から排気口へ導く脱臭ダクトと、前記臭気を吸着・分解するための脱臭触媒と前記脱臭触媒を保護するために前記脱臭触媒の外郭に配設された保護部材とで構成される脱臭カートリッジ、を前記脱臭ダクト内に配置した便座装置において、前記脱臭カートリッジは、少なくとも対向する２面を臭気通過面とする脱臭触媒と、通気面を有し前記脱臭触媒の前記臭気通過面を覆うガード部材と、前記脱臭触媒と前記ガード部材の外郭とを互いに気密状に固定する弾性材からなる固定手段と、を備えるとともに、前記固定手段の外郭面と前記脱臭ダクトの内壁面とを互いに気密状に密着して前記脱臭ダクト内に配置したことを特徴とする便座装置
【請求項２】
前記弾性材は、前記脱臭触媒と前記ガード部材の外郭とに接する面が気密性かつ粘着性を有した発泡フォーム材で構成されていることを特徴とする請求項１記載の便座装置
【請求項３】
前記ガード部材は、前記脱臭カートリッジの前記脱臭ダクトへの着脱用の把持手段を有していることを特徴とする請求項２記載の便座装置。
【請求項４】
前記脱臭ダクトは、複数のダクト材からなり、そのうちの一つの前記ダクト内部を前記脱臭カートリッジの収納部としていることを特徴とする請求項１乃至３いずれかに記載の便座装置。
【手続補正２】
【補正対象書類名】明細書
【補正対象項目名】００１８
【補正方法】変更
【補正の内容】
【００１８】
【課題を解決するための手段及び作用及び効果】
上記課題を解決するため、第一の発明では、便器内に発生した臭気を吸気口から排気口へ導く脱臭ダクトと、前記臭気を吸着・分解するための脱臭触媒と前記脱臭触媒を保護するために前記脱臭触媒の外郭に配設された保護部材とで構成される脱臭カートリッジ、を前記脱臭ダクト内に配置した便座装置において、前記脱臭カートリッジは、少なくとも対向する２面を臭気通過面とする脱臭触媒と、通気面を有し前記脱臭触媒の前記臭気通過面を覆うガード部材と、前記脱臭触媒と前記ガード部材の外郭とを互いに気密状に固定する弾性材からなる固定手段と、を備えるとともに、前記固定手段の外郭面と前記脱臭ダクトの内壁面とを互いに気密状にに密着して前記脱臭ダクト内に配置した。
脱臭カートリッジを形成する部材と脱臭触媒と脱臭ダクト内壁との２つの間隙を一つの固定部材で閉塞して脱臭触媒の外郭と脱臭ダクト内壁とを気密状にするため、限られた脱臭触媒収納スペースを有効に活用できるとともに構成部品点数も少なく出来る。
【手続補正書】
【提出日】平成18年3月6日(2006.3.6)
【手続補正１】
【補正対象書類名】明細書
【補正対象項目名】請求項２
【補正方法】変更
【補正の内容】
【請求項２】
揮発性有機化合物を含む廃水を、大気圧より低い減圧に維持した第１密閉容器の内部に、当該廃水に空気等の気体を溶解した状態で噴出するように供給し、この第１密閉容器から排出される廃水を、大気圧より低い減圧に維持した第２密閉容器の内部に、当該廃水に空気等の気体を溶解した状態で噴出するように供給する一方、前記第２密閉容器内で発生した水蒸気を熱源の一部として、前記第１密閉容器に供給する廃水の温度を第１密閉容器内の飽和蒸気温度に等しい温度から当該飽和蒸気温度よりも４℃だけ低い温度までの温度範囲内のうち任意の温度に維持するとともに、前記第２密閉容器に供給する廃水の温度を第２密閉容器内の飽和蒸気温度から当該飽和蒸気温度よりも５℃だけ高い温度までの温度範囲内のうち任意の温度に維持することを特徴とする廃水中の揮発性有機化合物を分離する方法。
【手続補正書】
【提出日】平成18年3月15日(2006.3.15)
【手続補正１】
【補正対象書類名】明細書
【補正対象項目名】請求項１
【補正方法】変更
【補正の内容】
【請求項１】
体壁に穿刺される外套管を移動自在に保持する第１の支持部材と、
前記外套管内に挿通される内視鏡を保持し、前記外套管に対して内視鏡を移動自在に支持する第２の支持部材と、
前記第１及び第２の支持部材を制御して前記外套管及び内視鏡を移動調整する制御手段と、
を具備することを特徴とする内視鏡保持装置。
【手続補正２】
【補正対象書類名】明細書
【補正対象項目名】０００６
【補正方法】変更
【補正の内容】
【０００６】
【課題を解決するための手段】
この発明は、体壁に穿刺される外套管を移動自在に保持する第１の支持部材と、前記外套管内に挿通される内視鏡を保持し、前記外套管に対して内視鏡を移動自在に支持する第２の支持部材と、前記第１及び第２の支持部材を制御して前記外套管及び内視鏡を移動調整する制御手段とを備えて内視鏡保持装置を構成した。
【手続補正書】
【提出日】平成18年5月26日(2006.5.26)
【手続補正１】
【補正対象書類名】明細書
【補正対象項目名】特許請求の範囲
【補正方法】変更
【補正の内容】
【特許請求の範囲】
【請求項１】  遊技の実行制御を行う制御基板が収納された収納ケースを有し、前記収納ケースは遊技盤の背面側に設けられた支持部材に取り付けられる遊技機において、
前記収納ケースの側面に下方に突出した鉤爪状の係止爪を形成するとともに、前記側面の下端に下方に突出した板状の係止爪を形成し、
前記支持部材に前記各係止爪が挿入される複数の係合孔を形成するとともに、前記支持部材の表面から突出する保持位置と前記保持位置から退避する退避位置の間で変位するように弾性が付された固定突起を形成して、
前記係止爪を各係合孔に挿入すると前記収納ケースの前記側面で前記固定突起が押されて前記固定突起が前記保持位置から前記退避位置に変位し、この状態から前記収納ケースを下方にスライドさせると各係止爪が各係合孔で係合するとともに前記固定突起が前記保持位置に復帰して前記収納ケースの上面に係止することを特徴とする遊技機。
【請求項２】  前記支持部材に、前記収納ケースの左右両側面を挟むように前記支持部材から突出した案内突起を形成するとともに、前記係合孔を前記案内突起の間に形成し、前記案内突起の間に前記収納ケースを挿入して下方にスライドすると前記係止爪が前記係合孔に案内されることを特徴とする請求項１記載の遊技機。
【手続補正２】
【補正対象書類名】明細書
【補正対象項目名】０００３
【補正方法】変更
【補正の内容】
【０００３】
これら制御装置は取込部材に収容または装着されて電気的保安性を保っている。例えば、取込部材としてケース状部材を用い、該ケース状部材内に制御装置を収容するものがある。そして、ケース状部材は、遊技機本体内に取り付ける支持部材に固定支持するようになっている。
【特許文献１】特開２００２−２７３００９号公報
【特許文献２】特開２０００−１４０３５３号公報
【手続補正３】
【補正対象書類名】明細書
【補正対象項目名】０００６
【補正方法】変更
【補正の内容】
【０００６】
【課題を解決するための手段】
上記目的を達成するために、本発明の遊技機は、遊技の実行制御を行う制御基板が収納された収納ケースを有し、前記収納ケースは遊技盤の背面側に設けられた支持部材に取り付けられる遊技機において、前記収納ケースの側面に下方に突出した鉤爪状の係止爪を形成するとともに、前記側面の下端に下方に突出した板状の係止爪を形成し、前記支持部材に前記各係止爪が挿入される複数の係合孔を形成するとともに、前記支持部材の表面から突出する保持位置と前記保持位置から退避する退避位置の間で変位するように弾性が付された固定突起を形成して、前記係止爪を各係合孔に挿入すると前記収納ケースの前記側面で前記固定突起が押されて前記固定突起が前記保持位置から前記退避位置に変位し、この状態から前記収納ケースを下方にスライドさせると各係止爪が各係合孔で係合するとともに前記固定突起が前記保持位置に復帰して前記収納ケースの上面に係止するものである。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
また、前記支持部材に、前記収納ケースの左右両側面を挟むように前記支持部材から突出した案内突起を形成するとともに、前記係合孔を前記案内突起の間に形成し、前記案内突起の間に前記収納ケースを挿入して下方にスライドすると前記係止爪が前記係合孔に案内されることが好適である。これにより、前記係止爪を備えた部材を該支持部材に取り付ける際に、取り付け位置が明確となり、取り付け容易性の向上や、固定力の向上や、取り付け及び保持の確実性の向上を図ることができる。
【手続補正書】
【提出日】平成17年12月16日(2005.12.16)
【手続補正１】
【補正対象書類名】明細書
【補正対象項目名】特許請求の範囲
【補正方法】変更
【補正の内容】
【特許請求の範囲】
【請求項１】  吸収体と、該吸収体の着用者肌当接面側と反対側に裏面シートとを備えた吸収性物品であって、
前記吸収体は、高吸収性ポリマーを含有する吸収性コアとその周囲を覆う保形用シートとを備えており、
前記保形用シートと前記裏面シートの間に薄紙が介在されており、
前記薄紙と前記裏面シートとの間の所定部位に、水分と接触すると視覚的に変化する親水性の組成物を含んでいる吸収性物品。
【請求項２】  前記薄紙の坪量が５〜３０ｇ／ｍ2である請求項１記載の吸収性物品。
【請求項３】  前記保形用シートが親水性の不織布からなる請求項１又は２記載の吸収性物品。
【請求項４】  前記薄紙が、前記吸収性物品の前記裏面シート側にのみ存在している請求項１〜３の何れかに記載の吸収性物品。
【請求項５】  前記吸収性物品は実質的に縦長で、股下部並びに該股下部から前後に延びる腹側部及び背側部を備えており、前記親水性の組成物が該腹側部から該背側部にわたり長手方向に沿って存在している請求項１〜４の何れかに記載の吸収性物品。
【手続補正２】
【補正対象書類名】明細書
【補正対象項目名】０００６
【補正方法】変更
【補正の内容】
【０００６】
【課題を解決するための手段】
本発明は、吸収体と、該吸収体の着用者肌当接面側と反対側に裏面シートとを備えた吸収性物品であって、前記吸収体は、高吸収性ポリマーを含有する吸収性コアとその周囲を覆う保形用シートとを備えており、前記保形用シートと前記裏面シートの間に薄紙が介在されており、前記薄紙と前記裏面シートとの間の所定部位に、水分と接触すると視覚的に変化する親水性の組成物を含んでいる吸収性物品を提供することにより、前記目的を達成したものである。
【手続補正書】
【提出日】平成18年6月26日(2006.6.26)
【手続補正１】
【補正対象書類名】明細書
【補正対象項目名】特許請求の範囲
【補正方法】変更
【補正の内容】
【特許請求の範囲】
【請求項１】  遊技機本体に着脱自在に固定されてその表面の遊技領域を視認させる遊技盤と、この遊技盤の裏面に着脱自在に装着される遊技関連部品取り付け用の取付け版体と、この取付け版体の遊技盤の裏面に対向する対向面に取付け機構により着脱自在に取付けられる回路基板と、この回路基板と遊技盤に形成された開口部とに配設される電気的な装飾装置とを備え、
回路基板を、電気的な装飾装置の配設領域を含む広い面積となるよう形成した遊技機であって、
電気的な装飾装置は、回路基板に電気的に実装される発光体と、この発光体を囲んで遊技盤の開口部内に臨む発光体囲繞部材と、遊技盤の表面から発光体と発光体囲繞部材とを覆うレンズ部材とを含み、
発光体囲繞部材を、遊技盤の開口部と略同じ輪郭形状に形成されて回路基板に取付けられる底壁と、この底壁の周囲に立て設けられて遊技盤の開口部内に嵌め入れられる側壁とから底の浅い有底器形に形成し、底壁には、発光体に貫通される発光体取付け部を形成し、
レンズ部材を、遊技盤の表面から発光体と発光体囲繞部材とを覆うレンズ部と、このレンズ部の裏面に突設されて遊技盤の開口部内に嵌め入れられ、発光体囲繞部材の側壁に接触する鍔部と、レンズ部の外周面から突出して遊技盤の開口部周縁に接触するフランジとから形成したことを特徴とする遊技機。
【請求項２】  取付け版体に、遊技盤の遊技領域の入賞口に入賞した遊技媒体の流下通路を形成する通路部材を設けた請求項１記載の遊技機。
【手続補正２】
【補正対象書類名】明細書
【補正対象項目名】００１４
【補正方法】変更
【補正の内容】
【００１４】
【課題を解決するための手段】
本発明においては上記課題を達成するため、遊技機本体に着脱自在に固定されてその表面の遊技領域を視認させる遊技盤と、この遊技盤の裏面に着脱自在に装着される遊技関連部品取り付け用の取付け版体と、この取付け版体の遊技盤の裏面に対向する対向面に取付け機構により着脱自在に取付けられる回路基板と、この回路基板と遊技盤に形成された開口部とに配設される電気的な装飾装置とを備え、
回路基板を、電気的な装飾装置の配設領域を含む広い面積となるよう形成したものであって、
電気的な装飾装置は、回路基板に電気的に実装される発光体と、この発光体を囲んで遊技盤の開口部内に臨む発光体囲繞部材と、遊技盤の表面から発光体と発光体囲繞部材とを覆うレンズ部材とを含み、
発光体囲繞部材を、遊技盤の開口部と略同じ輪郭形状に形成されて回路基板に取付けられる底壁と、この底壁の周囲に立て設けられて遊技盤の開口部内に嵌め入れられる側壁とから底の浅い有底器形に形成し、底壁には、発光体に貫通される発光体取付け部を形成し、
レンズ部材を、遊技盤の表面から発光体と発光体囲繞部材とを覆うレンズ部と、このレンズ部の裏面に突設されて遊技盤の開口部内に嵌め入れられ、発光体囲繞部材の側壁に接触する鍔部と、レンズ部の外周面から突出して遊技盤の開口部周縁に接触するフランジとから形成したことを特徴としている。
【手続補正３】
【補正対象書類名】明細書
【補正対象項目名】００１５
【補正方法】変更
【補正の内容】
【００１５】
なお、取付け版体に、遊技盤の遊技領域の入賞口に入賞した遊技媒体の流下通路を形成する通路部材を設けることが好ましい。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００５８
【補正方法】変更
【補正の内容】
【００５８】
レンズ部材５３は、開口部７ｂよりも一回り大きな相似形にしたレンズ部５３ａの裏面に、当該開口部７ｂに着脱自在に嵌合する鍔部５３ｂを突設してなるものであり、例えば半透明に着色した合成樹脂製のものである。レンズ部５３ａの外周面からは遊技盤７の開口部７ｂ周縁に接触するフランジ５３ｃが突出している（図９参照）。
【手続補正９】
【補正対象書類名】明細書
【補正対象項目名】００８８
【補正方法】変更
【補正の内容】
【００８８】
【発明の効果】
以上のように本発明によれば、制御装置やこの制御装置を収容するケース等を含む遊技関連部品を取り付けるための取付け版体が、遊技盤の裏面側に着脱自在に装着されているとともに、その遊技盤の所要位置に形成した開口部に臨むように配設した電気的な発光体や可動体等を作動させる装飾装置が、この配設領域を含む広い面積となるように形成した回路基板上に配設態様の自由度を高めるように配設されており、その回路基板を、取付け版体の遊技盤との対向面に接着剤や着脱自在なロック機構を含む固定部材等により固定することが可能なので、遊技盤の取り付けや交換を行う際、電気的な装飾装置と遊技関連部品との接続作業の煩雑さを解消することができるという効果がある。
また、電気的な装飾装置を含む電飾部品の一部に故障が生じたときにも、当該故障が生じた部分だけを対象に交換することができ、その交換作業を容易に行うことができるとともに経済的である。
また、電気的な装飾装置は、取付け版体に対し所要の取付け機構によって取り付けられているので、取付け版体と電気的な装飾装置とを取り外しやすい。また、発光体囲繞部材により、発光体を外的衝撃から保護することもできる。さらに、発光体囲繞部材の底壁によっても、発光体の光を効率よく反射させることができ、装飾効果の向上が大いに期待できる。このことにより、開口部の形状変更があった際、発光体囲繞部材を交換するだけで、他の部材の共通化を図ることが可能になる。
【手続補正１０】
【補正対象書類名】明細書
【補正対象項目名】００８９
【補正方法】変更
【補正の内容】
【００８９】
また、取付け版体に、遊技盤の遊技領域の入賞口に入賞した遊技媒体の流下通路を形成する通路部材を設ければ、取付け版体とは別の部材に遊技球の流下通路を形成する必要がなく、構造を簡易なものとすることができるとともに、製造コストの低減を図ることができる。
【手続補正１１】
【補正対象書類名】明細書
【補正対象項目名】００９０
【補正方法】削除
【補正の内容】
【手続補正１２】
【補正対象書類名】明細書
【補正対象項目名】００９１
【補正方法】削除
【補正の内容】
【手続補正１３】
【補正対象書類名】明細書
【補正対象項目名】００９２
【補正方法】削除
【補正の内容】
【手続補正１４】
【補正対象書類名】明細書
【補正対象項目名】００９３
【補正方法】削除
【補正の内容】
【手続補正１５】
【補正対象書類名】図面
【補正対象項目名】図９
【補正方法】変更
【補正の内容】
【図９】
2004337363.tif 000001
【手続補正書】
【提出日】平成18年4月27日(2006.4.27)
【手続補正１】
【補正対象書類名】明細書
【補正対象項目名】特許請求の範囲
【補正方法】変更
【補正の内容】
【特許請求の範囲】
【請求項１】  画面表示可能な表示手段を備えた遊技機であって、
遊技者によって撮影される撮影対象画像を前記表示手段にて画面表示させる撮影対象画像表示制御手段と、
前記表示手段にて画面表示された撮影対象画像を明示する明示手段と、
を備えたことを特徴とする遊技機。
【請求項２】  前記撮影対象画像表示制御手段は、前記撮影対象画像を画面上での移動を伴う態様で表示させると共に、
前記明示手段は、前記撮影対象画像の移動に合わせて前記撮影対象画像を明示することを特徴とする請求項１に記載の遊技機。
【請求項３】  前記明示手段は、前記撮影対象画像の略全体が含まれる撮影対象領域を囲む枠線を表示することを特徴とする請求項１又は２に記載の遊技機。
【請求項４】  前記撮影対象画像表示制御手段は、前記撮影対象画像が画面上での移動を伴う態様で表示させると共に、
前記明示手段は、前記撮影対象画像の移動に合わせて前記枠線を移動表示することを特徴とする請求項３に記載の遊技機。
【請求項５】  前記明示手段は、前記撮影対象画像若しくはその周囲を点滅表示することを特徴とする請求項１乃至４のいずれかに記載の遊技機。
【請求項６】  前記明示手段は、前記撮影対象画像を指し示す所定の図形を表示することを特徴とする請求項１乃至５のいずれかに記載の遊技機。
【請求項７】  前記撮影対象画像表示制御手段は、前記撮影対象画像を画面上での移動を伴う態様で表示させると共に、
前記明示手段は、前記撮影対象画像の移動に合わせて前記所定の図形を移動表示することを特徴とする請求項６に記載の遊技機。
【手続補正書】
【提出日】平成17年7月29日(2005.7.29)
【手続補正１】
【補正対象書類名】明細書
【補正対象項目名】特許請求の範囲
【補正方法】変更
【補正の内容】
【特許請求の範囲】
【請求項１】
テーパー部および断面円弧歯車状テーパー部とからなるコネクト穴が開けられたインプラントボディと、該コネクト穴に係合するコネクト突起を有する封鎖キャップと、該封鎖キャップを前記インプラントボディにねじ止めする封鎖キャップ用ピンと、前記コネクト穴に係合するコネクト突起を有する補綴用ヘッドと、該補綴用ヘッドを前記インプラントボディにねじ止めするヘッド用ピンとを備える歯科用インプラントシステム。
【請求項２】
骨内に埋入するインプラントボディと、封鎖キャップと、封鎖キャップ用ピンと、軸と垂直な端部の面に凹凸が形成された埋入用治具と、補綴用ヘッドと、ヘッド用ピンと、前記補綴用ヘッドに装着可能な補綴物とからなる歯科用インプラントシステムであって、前記インプラントボディは、外周に切り欠き部を伴うねじ山と、基端側にあって該ねじ山の軸と同軸状で、開口側のテーパー部および底面側の断面円弧歯車状テーパー部とからなるコネクト穴と、該コネクト穴の底面から先端側へ掘り下げられるねじ穴とを有し、前記封鎖キャップは、インプラントボディのコネクト穴に係合可能で、中央に貫通孔を備えたコネクト突起を先端に有し、該コネクト突起と反対側である頭部に、前記埋入用治具の端部の面の凹凸と係合する凹凸面を有し、かつ、該貫通孔の頭部側に座繰りを有し、前記封鎖キャップ用ピンは、前記封鎖キャップの貫通孔および座繰りの内面に摺動および回動が可能な外面を有し、かつ、前記封鎖キャップの貫通孔に挿入された時、前記インプラントボディのねじ穴に係合するねじ山を備えた先端部が突出し、前記補綴用ヘッドは、インプラントボディのコネクト穴に係合可能で、中央に貫通孔を備えたコネクト突起を先端に有し、かつ、該貫通孔が、断面半径が小さいコネクト突起側と、断面半径が大きい反対側と、中間のテーパー状段部とからなる内面形状であり、前記ヘッド用ピンは、前記補綴用ヘッドの貫通孔の内面に摺動および回動が可能な外面を有し、かつ、前記補綴用ヘッドの貫通孔に挿入された時、前記インプラントボディのねじ穴に係合するねじ山を備えた先端部が突出することを特徴とする歯科用インプラントシステム。
【請求項３】
請求項２に記載の歯科用インプラントシステムを使用し、前記インプラントボディに前記封鎖キャップを係合させ、前記封鎖キャップ用ピンでねじ止めし、前記埋入用治具により埋入し、経過観察後、封鎖キャップ用ピンをインプラントボディから外して、封鎖キャップを外し、前記補綴用ヘッドを前記ヘッド用ピンでインプラントボディにねじ止めし、補綴用ヘッドに前記補綴物を装着する方法。
【請求項４】
テーパー部および断面円弧歯車状テーパー部とからなるコネクト穴が開けられたインプラントボディ。
【請求項５】
請求項４に記載されたインプラントボディのコネクト穴に係合するコネクト突起を有する封鎖キャップ。
【請求項６】
請求項５に記載された封鎖キャップを、請求項４に記載されたインプラントボディにねじ止めする補綴用ヘッド。
【請求項７】
請求項６に記載された補綴用ヘッドを、請求項４に記載されたインプラントボディにねじ止めするヘッド用ピン。
【請求項８】
請求項４に記載されたインプラントボディと、請求項５に記載された封鎖キャップ、請求項６に記載された補綴用ヘッド、および請求項７に記載されたヘッド用ピンからなる群から選ばれる１種以上とを備えることを特徴とする歯科用インプラントシステム。
【請求項９】
外周に切り欠き部を伴うねじ山と、基端側にあって該ねじ山の軸と同軸状で、開口側のテーパー部および底面側の断面円弧歯車状テーパー部とからなるコネクト穴と、該コネクト穴の底面から先端側へ掘り下げられるねじ穴とを有するインプラントボディ。
【請求項１０】
請求項９に記載されたインプラントボディのコネクト穴に係合可能で、中央に貫通孔を備えたコネクト突起を先端に有し、該コネクト突起と反対側である頭部に、軸と垂直な端部の面に凹凸が形成された埋入用治具における端部の面の凹凸と係合する凹凸面を有し、かつ、該貫通孔の頭部側に座繰りを有する封鎖キャップ。
【請求項１１】
請求項１０に記載された封鎖キャップの貫通孔および座繰りの内面に摺動および回動が可能な外面を有し、かつ、前記封鎖キャップの貫通孔に挿入された時、請求項９に記載されたインプラントボディのねじ穴に係合するねじ山を備えた先端部が突出する封鎖キャップ用ピン。
【請求項１２】
請求項９に記載されたインプラントボディのコネクト穴に係合可能で、中央に貫通孔を備えたコネクト突起を先端に有し、かつ、該貫通孔が、断面半径が小さいコネクト突起側と、断面半径が大きい反対側と、中間のテーパー状段部とからなる内面形状である補綴用ヘッド。
【請求項１３】
請求項１２に記載された補綴用ヘッドの貫通孔の内面に摺動および回動が可能な外面を有し、かつ、前記補綴用ヘッドの貫通孔に挿入された時、請求項９に記載されたインプラントボディのねじ穴に係合するねじ山を備えた先端部が突出するヘッド用ピン。
【請求項１４】
請求項９に記載されたインプラントボディと、請求項１０に記載された封鎖キャップ、請求項１１に記載された封鎖キャップ用ピン、軸と垂直な端部の面に凹凸が形成された埋入用治具、請求項１２に記載された補綴用ヘッド、請求項１３に記載されたヘッド用ピン、および前記補綴用ヘッドに装着可能な補綴物からなる群から選ばれる１種以上とを備えることを特徴とする歯科用インプラントシステム。
【手続補正書】
【提出日】平成18年5月17日(2006.5.17)
【手続補正１】
【補正対象書類名】明細書
【補正対象項目名】特許請求の範囲
【補正方法】変更
【補正の内容】
【特許請求の範囲】
【請求項１】板クラウンを２つの領域のクラウンに分割するステップと、
前記２つの領域の境界位置として定義される板クラウン定義点を各スタンド毎に出側板厚と板幅と接触弧長とからなる回帰式により算出するステップとを構成し、
前記２領域のクラウンは、
幅方向へのメタルフローが無視できる板中央部のボディクラウンと、
幅方向へのメタルフローにより急激に板厚が減少する板側端部のエッジドロップとを形成し、
前記板クラウン定義点は、対象板厚が薄くなる程、より板側端部に近づく
板クラウン推定方法。
【請求項２】前記ボディクラウンを推定するステップを更に構成し、
前記推定するステップで用いられる推定式は板クラウン定数項を有する
請求項１の板クラウン推定方法。
【請求項３】前記板クラウン定数項は、その発生量の記述のために影響因子が用いられてニューラルネットワークにより推定され、前記影響因子には、出側板厚、板幅、圧下率、ロール径、圧延荷重、板クラウン定義点が用いられる
請求項２の板クラウン推定方法。
【請求項４】前記ボディクラウンは、下記式：
Ｃhxii＝ζxii・Ｃxii＋ηxii・Ｃhxii-1＋Ｃofs,xii
ζxii：第ｉスタンド板クラウン定義点ｘiにおける板クラウン転写率
Ｃxii：第ｉスタンド板クラウン定義点ｘiにおける均一荷重板クラウン
ηxii：第ｉスタンド板クラウン定義点ｘiにおける板クラウン遺伝係数
Ｃofs,xii：第ｉスタンド板クラウン定義点ｘiにおける板クラウン定数項
により計算される
請求項２の板クラウン推定方法。
【請求項５】前記エッジドロップを推定するステップを更に構成し、
前記推定するステップで用いられる推定式は、エッジドロップ算出のために必要となるエッジドロップ遺伝係数を有する
請求項１の板クラウン推定方法。
【請求項６】前記エッジドロップ遺伝係数は、エッジドロップ発生量の影響因子が用いられるニューラルネットワークより推定され、
前記影響因子は、出側板厚、板幅、圧下率、ロール径、圧延荷重、板クラウン定義点、前記板クラウン定義点から板幅方向への距離を含む
請求項５の板クラウン推定方法。
【請求項７】前記エッジドロップは、下記式：
Ｃh”ｙｉ”i＝Ｃhxii＋Ｅhyii＋ηｅyii・Ｅhyii-1
ηｅyii：第ｉスタンド板クラウン定義点ｘiから板端方向への距離ｙiのエッジドロップ遺伝係数
Ｅhyii＝Ｃhyii−Ｃhxii
により計算される
請求項５の板クラウン推定方法。
【手続補正２】
【補正対象書類名】明細書
【補正対象項目名】０００８
【補正方法】変更
【補正の内容】
【０００８】
【課題を解決するための手段】
本発明による板クラウン推定方法は、板クラウンを２つの領域のクラウンに分割するステップと、２つの領域の境界位置として定義される板クラウン定義点を各スタンド毎に出側板厚と板幅と接触弧長等の圧延材、圧延機条件からなる回帰式により算出するステップとから構成される。スタンドは、第１番目スタンド〜第ｎ番目スタンドのｎ個のスタンドから形成される。任意番目のスタンドは、第ｉ番目スタンドとして記述される。２領域のクラウンは、幅方向へのメタルフローが無視できる板中央部のボディクラウンと、幅方向へのメタルフローにより急激に板厚が減少する板側端部のエッジドロップとから形成される。板クラウン定義点は、対象板厚が薄くなる程、より板側端部に近づくことが本質的に重要である。
【手続補正３】
【補正対象書類名】明細書
【補正対象項目名】００１４
【補正方法】変更
【補正の内容】
【００１４】
また、既述の観点により、エッジドロップを推定するステップが更に追加される。その推定ステップで用いられる推定式は、エッジドロップ算出のために必要となるエッジドロップ遺伝係数を有する。エッジドロップ遺伝係数は、エッジドロップ発生量の影響因子を用いてニューラルネットワークにより推定し、影響因子として、具体的には、出側板厚、板幅、圧下率、ロール径、圧延荷重、板クラウン定義点、板クラウン定義点からの板幅方向への距離が用いられている。板クラウン定義点ｘiからの距離ｙiにあるエッジドロップＣｈyiiは、下記の式（７），（８）により計算される。
Ｃhyii＝Ｃｈxii＋Ｅｈyii＋ηｅyii・Ｅｈyii-1・・・（７）
Ｅｈyii＝Ｃｈyii−Ｃｈxii・・・（８）
ηｅyii：エッジドロップ遺伝係数（−）
エッジ部の圧延機入出側での板クラウンの遺伝を考慮することでエッジドロップの推定精度を向上させることができる。
【手続補正書】
【提出日】平成18年4月26日(2006.4.26)
【手続補正１】
【補正対象書類名】明細書
【補正対象項目名】特許請求の範囲
【補正方法】変更
【補正の内容】
【特許請求の範囲】
【請求項１】  筒状ケーシングと、このケーシング内にその基端側開口部から軸動可能に嵌装してなる吸引軸部材とを備えて、
前記ケーシングは、非磁性材料からなる先端側筒部材と、この先端側筒部材の先端開口部を閉塞してなる非磁性材料からなる先端側蓋体と、前記先端側筒部材にその基端側開口部にて同軸的に連結した磁性材料からなる基端側筒部材と、この基端側筒部材の基端側開口部を閉塞する基端側蓋体とを備え、
前記吸引軸部材は、前記ケーシング内に軸動可能に嵌装したマグネット保持軸と、このマグネット保持軸の基端部から当該マグネット保持軸と同軸的に前記基端側蓋体を通り軸動可能に延出する延出軸と、前記マグネット保持軸の外周面にその周方向に沿い等角度間隔にて保持された偶数のマグネットとを備え、
当該偶数のマグネットは、互いに隣り合う両マグネット毎に互いに極性を異にして前記ケーシングの周壁に対向するように前記マグネット保持軸の外周面からその半径方向に沿い突出する対向磁極をそれぞれ有するようにした磁性物回収装置。
【請求項２】  前記先端側蓋体と前記マグネット保持軸及び偶数のマグネットの少なくとも一方との間に位置するように前記先端側蓋体の内面に設けられた緩衝部材を備えることを特徴とする請求項１に記載の磁性物回収装置。
【請求項３】  前記偶数のマグネットは、それぞれ、前記マグネット保持軸の外周面にその周方向には等角度間隔に当該マグネット保持軸の軸方向には互いに平行に保持された一側の柱状マグネットであり、
他側の偶数の柱状マグネットが、前記偶数の一側の柱状マグネットと前記マグネット保持軸の軸方向において隣り合うように当該マグネット保持軸の外周面にその周方向には前記一側の偶数の柱状マグネットとは角度位置をずらせて等角度間隔に当該マグネット保持軸の軸方向には互いに平行に保持されていることを特徴とする請求項１或いは２に記載の磁性物回収装置。
【請求項４】  筒状ケーシングと、このケーシング内にその基端側開口部から軸動可能に嵌装してなる吸引軸部材とを備えて、
前記ケーシングは、非磁性材料からなる先端側筒部材と、この先端側筒部材の先端開口部を閉塞してなる非磁性材料からなる先端側蓋体と、前記先端側筒部材にその基端側開口部にて同軸的に連結した磁性材料からなる基端側筒部材と、この基端側筒部材の基端側開口部を閉塞する基端側蓋体とを備え、
前記吸引軸部材は、前記ケーシング内に軸動可能に嵌装したマグネット保持軸と、このマグネット保持軸の基端部から当該マグネット保持軸と同軸的に前記基端側蓋体を通り軸動可能に延出する延出軸と、前記マグネット保持軸の外周面にその軸方向に沿い等間隔にて嵌着された偶数の環状マグネットとを備え、
当該偶数の環状マグネットは、互いに隣り合う両環状マグネット毎に互いに極性を異にして前記ケーシングの周壁に対向するように前記マグネット保持軸の外周面からその半径方向に沿い突出する対向磁極をそれぞれ有するようにした磁性物回収装置。
【手続補正２】
【補正対象書類名】明細書
【補正対象項目名】００１５
【補正方法】削除
【補正の内容】
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】変更
【補正の内容】
【００１７】
これによれば、各マグネットが先端側筒部材内に位置するように吸引軸部材が延出軸によりケーシング内に押し込まれたとき上記互いに隣り合う両マグネット毎に当該両マグネットは、その各対向磁極にて、先端側筒部材の周壁を介し磁性物を吸引して当該周壁の外周面に付着させるようにマグネット保持軸と共に先端側筒部材の周壁の外側にて周方向に通る先端側閉磁路（Ｒ１、Ｒ２）を形成し、
各マグネットが基端側筒部材内に位置するように吸引軸部材が延出軸によりケーシングから引き出されたとき上記互いに隣り合う両マグネット毎に当該両マグネットは、その各対向磁極にて、上記付着磁性物を先端側筒部材の外周面から脱落させて回収するようにマグネット保持軸と共に基端側筒部材の周壁中を周方向に通る基端側閉磁路（Ｒ３、Ｒ４）を形成する。
また、各マグネットが先端側及び基端側の両筒部材内に亘って位置するとき先端側閉磁路の軸方向幅は各マグネットのうち先端側筒部材内に位置する部分の軸方向長さで特定されるとともに基端側閉磁路の軸方向幅は各マグネットのうち上記基端側筒部材内に位置する部分の軸方向長さで特定される。
従って、各マグネットが先端側筒部材内に位置するとき、先端側筒部材をその周壁にて磁性粉等の磁性物に近づけると、この磁性物は、マグネットの先端側閉磁路に沿う磁気作用のもと、各マグネットによりその対向磁極にて先端側筒部材の周壁を介し吸引される。このとき、上述のように先端側閉磁路が先端側筒部材の周壁の外側へ出るように形成されているため、磁性物は、先端側閉磁路のうち先端側筒部材の周壁の外側に出る各磁路部分に沿って集中するように吸引されて当該先端側筒部材の外周面上に付着する。
【手続補正５】
【補正対象書類名】明細書
【補正対象項目名】００３５
【補正方法】削除
【補正の内容】
【手続補正６】
【補正対象書類名】明細書
【補正対象項目名】００３６
【補正方法】削除
【補正の内容】
【手続補正７】
【補正対象書類名】明細書
【補正対象項目名】００３７
【補正方法】変更
【補正の内容】
【００３７】
これによれば、各環状マグネットが先端側筒部材内に位置するように吸引軸部材が延出軸によりケーシング内に押し込まれたとき上記互いに隣り合う両環状マグネット毎に当該両環状マグネットは、その各対向磁極にて、先端側筒部材の周壁を介し磁性物を吸引して当該周壁の外周面に付着させるようにマグネット保持軸と共に先端側筒部材の周壁の外側をその軸方向に筒面状に通る先端側閉磁路を形成し、
各環状マグネットが基端側筒部材内に位置するように吸引軸部材が延出軸によりケーシングから引き出されたとき上記互いに隣り合う両環状マグネット毎に当該両環状マグネットは、その各対向磁極にて、上記付着磁性物を先端側筒部材の外周面から脱落させて回収するようにマグネット保持軸と共に基端側筒部材の周壁中をその軸方向に筒面状に通る基端側閉磁路を形成する。
また、上述のように、各環状マグネットが先端側及び基端側の両筒部材内に亘って位置するとき先端側閉磁路は各環状マグネットのうち先端側筒部材内に位置するマグネットで形成されるとともに基端側閉磁路は各環状マグネットのうち基端側筒部材内に位置するマグネットで形成される。
従って、各環状マグネットが先端側筒部材内に位置するときには、各環状マグネットのうち互いに隣り合う各両環状マグネットが、マグネット保持軸とともに、先端側筒部材の周壁の外側へ出て軸方向に筒面状に通る先端側閉磁路を形成する。
【手続補正書】
【提出日】平成18年5月9日(2006.5.9)
【手続補正１】
【補正対象書類名】明細書
【補正対象項目名】発明の名称
【補正方法】変更
【補正の内容】
【発明の名称】レーザ加工方法
【手続補正２】
【補正対象書類名】明細書
【補正対象項目名】特許請求の範囲
【補正方法】変更
【補正の内容】
【特許請求の範囲】
【請求項１】  パルスビームレーザを発振させるとともに、前記パルスビームレーザの発振波長と異なる発振波長によって連続発振レーザを発振させる工程と、
前記パルスビームレーザと前記連続発振レーザとを光学的に混合して混合レーザビームを生成する工程と、
被加工物を加工するために前記混合レーザビームを前記被加工物に集光する工程とを包含し、
前記パルスビームレーザの前記被加工物における集光スポットの形状は、略円形であり、
前記連続発振レーザの前記被加工物における集光スポットの形状は、前記パルスビームレーザの集光スポットよりも小さい略円形であることを特徴とするレーザ加工方法。
【請求項２】  パルスビームレーザを発振させるとともに、前記パルスビームレーザの発振波長と異なる発振波長によって連続発振レーザを発振させる工程と、
前記パルスビームレーザと前記連続発振レーザとを光学的に混合して混合レーザビームを生成する工程と、
被加工物を加工するために前記混合レーザビームを前記被加工物に集光する工程とを包含し、
前記パルスビームレーザの前記被加工物における集光スポットの形状は、略円形であり、
前記連続発振レーザの前記被加工物における集光スポットの形状は、楕円、長円およびライン形状のいずれかであり、かつ、
前記連続発振レーザの集光スポットの長径は、前記パルスビームレーザの集光スポットの直径よりも長いことを特徴とするレーザ加工方法。
【請求項３】  前記連続発振レーザの集光スポットの中心は、前記被加工物と前記被加工物に集光した前記混合レーザビームとが相対移動する方向に沿って、前記パルスビームレーザの集光スポットの中心に対してずれている、請求項１又は２に記載のレーザ加工方法。
【手続補正３】
【補正対象書類名】明細書
【補正対象項目名】０００１
【補正方法】変更
【補正の内容】
【０００１】
【発明の属する技術分野】
本発明は、２種類以上のレーザビームを混合してレーザ溶接、レーザ切断およびレーザ穴あけ等を行うレーザ加工方法に関する。
【手続補正４】
【補正対象書類名】明細書
【補正対象項目名】００１４
【補正方法】変更
【補正の内容】
【００１４】
本発明の目的は、レーザ加工を高効率に行うことができるレーザ加工方法を提供することにある。
【手続補正５】
【補正対象書類名】明細書
【補正対象項目名】００１５
【補正方法】変更
【補正の内容】
【００１５】
【課題を解決するための手段】
本発明に係る第１のレーザ加工方法は、パルスビームレーザを発振させるとともに、前記パルスビームレーザの発振波長と異なる発振波長によって連続発振レーザを発振させる工程と、前記パルスビームレーザと前記連続発振レーザとを光学的に混合して混合レーザビームを生成する工程と、被加工物を加工するために前記混合レーザビームを前記被加工物に集光する工程とを包含し、前記パルスビームレーザの前記被加工物における集光スポットの形状は、略円形であり、前記連続発振レーザの前記被加工物における集光スポットの形状は、前記パルスビームレーザの集光スポットよりも小さい略円形であることを特徴とする。
【手続補正６】
【補正対象書類名】明細書
【補正対象項目名】００１６
【補正方法】変更
【補正の内容】
【００１６】
本発明に係る第２のレーザ加工方法は、パルスビームレーザを発振させるとともに、前記パルスビームレーザの発振波長と異なる発振波長によって連続発振レーザを発振させる工程と、前記パルスビームレーザと前記連続発振レーザとを光学的に混合して混合レーザビームを生成する工程と、被加工物を加工するために前記混合レーザビームを前記被加工物に集光する工程とを包含し、前記パルスビームレーザの前記被加工物における集光スポットの形状は、略円形であり、前記連続発振レーザの前記被加工物における集光スポットの形状は、楕円、長円およびライン形状のいずれかであり、かつ、前記連続発振レーザの集光スポットの長径は、前記パルスビームレーザの集光スポットの直径よりも長いことを特徴とする。
【手続補正７】
【補正対象書類名】明細書
【補正対象項目名】００６２
【補正方法】変更
【補正の内容】
【００６２】
【発明の効果】
以上のように本発明によれば、レーザ加工を高効率に行なうことができるレーザ加工方法を提供することができる。